(57)【特許請求の範囲】
【請求項１】
中央部に円柱棒状体を受ける略円弧状の凹部となる受け部を有すると共に当該受け部と対向する部材との間に前記円柱棒状体を着脱可能に保持する固定ばねであって、前記受け部の両側に一体的に延設される腕部と、該腕部の先端に設けられて前記受け部の受け面側に屈曲する係止部とを具備して前記受け部を中心とした対称形状を有し、前記腕部を前記受け部の受け面側とは反対方向に弾性変形させた状態で前記腕部の裏面を支持すると共に前記係止部のそれぞれを被係止部に係合することにより組み付けられることを特徴とする固定ばね。
【請求項２】
請求項１において、前記腕部の少なくとも幅方向一方側には当該腕部の幅を狭くする切欠き部を有することを特徴とする固定ばね。
【請求項３】
請求項１又は２において、前記腕部は、前記受け部の受け面側とは反対方向に湾曲していることを特徴とする固定ばね。
【請求項４】
中央部に円柱棒状体を受ける略円弧状の凹部となる受け部を有すると共に当該受け部と対向する部材との間に前記円柱棒状体を着脱可能に保持する固定ばねの取付構造であって、前記固定ばねは、前記受け部の両側に一体的に延設される腕部と、該腕部の先端に設けられて前記受け部の受け面側に屈曲する係止部とを具備して前記受け部を中心とした対称形状を有し、該固定ばねを保持する保持部は、前記腕部の裏面側に当接する当接部と、前記係止部の表面側に当接して当該係止部と係合する端部支持部と、前記腕部及び前記係止部の少なくとも一方の幅方向端部に当接して幅方向への移動を規制する幅方向移動規制部とを具備し、前記固定ばねは、前記腕部が前記受け部の受け面側とは反対方向に弾性変形された状態で保持されていることを特徴とする固定ばねの取付構造。
【請求項５】
請求項４において、前記受け部の少なくとも幅方向一方側が開放された開放部となり、該開放部側に前記円柱棒状体が延びていることを特徴とする固定ばねの取付構造。
【請求項６】
請求項４又は５において、前記腕部の少なくとも幅方向一方側には当該腕部の幅を狭くする切欠き部を有し、前記幅方向移動規制部が前記切欠き部に位置することを特徴とする固定ばねの取付構造。
【請求項７】
請求項６において、前記切欠き部に位置する幅方向移動規制部の前記切欠き部とは反対側の面が、前記受け部の幅方向端部と面一となっていることを特徴とする固定ばねの取付構造。
【請求項８】
請求項４〜７の何れかにおいて、前記固定ばねは、空気中の粒子を集塵する捕集部を格納する空気清浄装置のケーシングに取付けられており、前記円柱棒状体は、前記帯電捕集部の側壁に設けられた係止突起であることを特徴とする固定ばねの取付構造。
【請求項９】
空気中の粒子を捕集する捕集部と、前記捕集部を格納すると共に開口部を有するケーシングとを具備する空気清浄装置において、
前記開口部内の側壁には、第１の係止溝及び第２の係止溝がそれぞれ設けられていると共に、前記捕集部の外側面には、前記第１の係止溝及び第２の係止溝とそれぞれ係合する第１の係止突起及び第２の係止突起が設けられ、前記第１及び第２の係止溝の何れかには、中央部に円柱棒状体を受ける略円弧状の凹部となる受け部を有すると共に当該受け部と対向する部材との間に前記円柱棒状体を着脱可能に保持する固定ばねが取付けられ、該固定ばねは、前記受け部の両側に一体的に延設される腕部と、該腕部の先端に設けられて前記受け部の受け面側に屈曲する係止部とを具備して前記受け部を中心とした対称形状を有することを特徴とする空気清浄装置。
【請求項１０】
請求項９において、前記固定ばねを保持する前記第１及び第２の係止溝の何れかは、前記腕部の裏面側に当接する当接部と、前記係止部の表面側に当接して当該係止部と係合する端部支持部と、前記腕部及び前記係合部の少なくとも一方の幅方向端部に当接して幅方向への移動を規制する幅方向移動規制部とを具備し、前記固定ばねは、前記腕部が前記受け部の受け面側とは反対方向に弾性変形された状態で保持されていることを特徴とする空気清浄装置。
【発明の詳細な説明】
【０００１】
【発明の属する技術分野】
本発明は、固定ばね及び固定ばねの取付構造に関し、特に、かかる固定ばねを空気中に浮遊する塵埃、細菌、臭気成分等の粒子を電気的に、濾過により、又はイオン化して集塵する捕集部を着脱自在に固定するために用いた空気清浄装置に関するものである。
【０００２】
【従来の技術】
この種の空気清浄装置としては、例えば、実公平４−０５０９０１号に開示されたものがあり、図１２はその正面図、図１３は分解斜視図、図１４は帯電捕集部の取付け状態を説明する断面図である。
【０００３】
これらの図面に示すように、この空気清浄装置０１は、全体が略直方体形状であり、前面が開口部となるケーシング０２と、ケーシング０２の開口部を開閉する蓋体０３とを具備する。蓋体０３には吸込口０４が形成され、ケーシング０２の上部には吐出口０５が形成されている。ケーシング０２の内部にはファン０６が設けられ、その前方には含塵空気をイオン化する荷電部０７と該荷電部０７の下流側に接合して当該荷電部０７でイオン化された塵埃を捕集する集塵部０８とが一体となった帯電捕集部０９が内蔵されている。
【０００４】
ここで、帯電捕集部０９の両側面には、下部に設けられた第１の係止突起０１０と、上部に設けられた第２の係止突起０１１とが設けられている。一方、ケーシング０２の開口部内の側壁には、第１の係止突起０１０を受ける縦長の第１の係止溝０１２と、第２の係止突起０１１が挿入される第２の係止溝０１３とが設けられている。帯電捕集部０９を装着する場合には、その下部の第１の係止突起０１０を第１の係止溝０１２の上部開口から挿入して突起受止部０１２ａに保持し、次いで、帯電捕集部０９を回動させ、第２の係止突起０１１を第２の係止溝０１３に挿入する。第２の係止溝０１３内には、固定用板ばね０１４が設けられており、第２の係止溝０１３内に設けられた保持凸部０１３ａと固定用板ばね０１４とで第２の係止突起０１１を保持固定するようにする。なお、帯電捕集部０９には、取っ手０１５が設けられている。
【０００５】
また、このように帯電捕集部０９を装着した場合には、ケーシング０２内に設けられた高圧印加手段と帯電捕集部０９に設けられた接点部とが接続されるようになっている。すなわち、図示しない接点部は、帯電捕集部０９の底部に設けられ、一方、ケーシング０２の開口部内の底部には、各接点部に対応する位置に接点ばね０１６が開口０２ａから突出するように設けられており、帯電捕集部０９が装着された際に、接点ばね０１６が接点部を付勢するようになっている。なお、各接点ばね０１６には、図示しない高圧印加手段から高電圧が給電されるため、接点ばね０１６の取付け部まで完全にモールドされている。
【０００６】
【発明が解決しようとする課題】
ところで、上述した空気清浄装置０１では、帯電捕集部０９の着脱を容易にし且つ脱落し難いものとするために、上述したような固定用板ばね０１４を用いている。かかる板ばね０１４は、例えば、図１５に示すような形状をしている。すなわち、略中央部に円弧状の凹部である受け面０１４ａを有し、一端の係止部０１４ｂを係止した状態で他端の締結孔０１４ｃでねじ止めされる。
【０００７】
従って、取付け作業に手間がかかるという問題がある。また、締結孔０１４ｃが、開放されたケーシング０１１の開口部に向くように形成されているので、両側で異なる固定用板ばねを用いなければならないとう問題があり、部品点数の増大を招来していた。また、ねじ止めの際に、固定用板ばね０１４が変形した状態で固定されないようにしなければならないので、さらに手間がかかり、逆に、変形された状態で固定されてしまうと、固定ばねとしての働きをしない場合がある。さらに、ねじ止めされた端部近傍には、長期間の使用によりストレスが蓄積し易いので、耐久性不良という問題も招来する。
【０００８】
また、製造コスト低減のために、同形状に打ち抜いた部材を逆方向に曲げ加工することにより、両側用の二種類の固定用板ばねを製造した場合、一方の表面にはバリが出てしまうという問題がある。この場合、帯電捕集部０９の係止突起０１１を傷つけてしまい、脱落し易いものとなってしまう虞がある。
【０００９】
本発明はこのような事情に鑑み、取付けが容易で、製造コストの低下を図ることができ、耐久性の面でも良好な固定ばね及びその取付構造並びにこれらを用いた空気清浄装置を提供することを課題とする。
【００１０】
【課題を解決するための手段】
前記課題を解決する本発明の第１の態様は、中央部に円柱棒状体を受ける略円弧状の凹部となる受け部を有すると共に当該受け部と対向する部材との間に前記円柱棒状体を着脱可能に保持する固定ばねであって、前記受け部の両側に一体的に延設される腕部と、該腕部の先端に設けられて前記受け部の受け面側に屈曲する係止部とを具備して前記受け部を中心とした対称形状を有し、前記腕部を前記受け部の受け面側とは反対方向に弾性変形させた状態で前記腕部の裏面を支持すると共に前記係止部のそれぞれを被係止部に係合することにより組み付けられることを特徴とする固定ばねにある。
【００１１】
かかる第１の態様では、締結作業を行うことなく容易に組み付けることができ、且つ脱落の虞がない。
【００１２】
本発明の第２の態様は、第１の態様において、前記腕部の少なくとも幅方向一方側には当該腕部の幅を狭くする切欠き部を有することを特徴とする固定ばねにある。
【００１３】
かかる第２の態様では、切欠き部の幅方向端部を支える側壁を設けることにより、円柱棒状体が受け部に確実に載置される。
【００１４】
本発明の第３の態様は、第１又は２の態様において、前記腕部は、前記受け部の受け面側とは反対方向に湾曲していることを特徴とする固定ばねにある。
【００１５】
かかる第３の態様では、固定ばねが確実に組み付けられ、且つ受け部の弾性変形も確実となる。
【００１６】
本発明の第４の態様は、中央部に円柱棒状体を受ける略円弧状の凹部となる受け部を有すると共に当該受け部と対向する部材との間に前記円柱棒状体を着脱可能に保持する固定ばねの取付構造であって、前記固定ばねは、前記受け部の両側に一体的に延設される腕部と、該腕部の先端に設けられて前記受け部の受け面側に屈曲する係止部とを具備して前記受け部を中心とした対称形状を有し、該固定ばねを保持する保持部は、前記腕部の裏面側に当接する当接部と、前記係止部の表面側に当接して当該係止部と係合する端部支持部と、前記腕部及び前記係止部の少なくとも一方の幅方向端部に当接して幅方向への移動を規制する幅方向移動規制部とを具備し、前記固定ばねは、前記腕部が前記受け部の受け面側とは反対方向に弾性変形された状態で保持されていることを特徴とする固定ばねの取付構造にある。
【００１７】
かかる第４の態様では、固定ばねを締結作業等することなく確実に且つ簡便に組み付けることができる。
【００１８】
本発明の第５の態様は、第４の態様において、前記受け部の少なくとも幅方向一方側が開放された開放部となり、該開放部側に前記円柱棒状体が延びていることを特徴とする固定ばねの取付構造にある。
【００１９】
かかる第５の態様では、受け部は開放部側に延びた円柱棒状体を支持する。
【００２０】
本発明の第６の態様は、第４の又は５の態様において、前記腕部の少なくとも幅方向一方側には当該腕部の幅を狭くする切欠き部を有し、前記幅方向移動規制部が前記切欠き部に位置することを特徴とする固定ばねの取付構造にある。
【００２１】
かかる第６の態様では、幅方向移動規制部の外側面と受け部の幅方向端部との間に隙間が低減され、円柱棒状体を確実に保持できる。
【００２２】
本発明の第７の態様は、第６の態様において、前記切欠き部に位置する幅方向移動規制部の前記切欠き部とは反対側の面が、前記受け部の幅方向端部と面一となっていることを特徴とする固定ばねの取付構造にある。
【００２３】
かかる第７の態様では、幅方向移動規制部の外側面と受け部の幅方向端部とが面一となり、円柱棒状体を確実に保持できる。
【００２４】
本発明の第８の態様は、第４〜７の何れかの態様において、前記固定ばねは、空気中の粒子を集塵する捕集部を格納する空気清浄装置のケーシングに取付けられており、前記円柱棒状体は、前記帯電捕集部の側壁に設けられた係止突起であることを特徴とする固定ばねの取付構造にある。
【００２５】
かかる第８の態様では、帯電捕集部は固定ばねにより確実に固定される。
【００２６】
本発明の第９の態様は、空気中の粒子を捕集する捕集部と、前記捕集部を格納すると共に開口部を有するケーシングとを具備する空気清浄装置において、前記開口部内の側壁には、第１の係止溝及び第２の係止溝がそれぞれ設けられていると共に、前記捕集部の外側面には、前記第１の係止溝及び第２の係止溝とそれぞれ係合する第１の係止突起及び第２の係止突起が設けられ、前記第１及び第２の係止溝の何れかには、中央部に円柱棒状体を受ける略円弧状の凹部となる受け部を有すると共に当該受け部と対向する部材との間に前記円柱棒状体を着脱可能に保持する固定ばねが取付けられ、該固定ばねは、前記受け部の両側に一体的に延設される腕部と、該腕部の先端に設けられて前記受け部の受け面側に屈曲する係止部とを具備して前記受け部を中心とした対称形状を有することを特徴とする空気清浄装置にある。
【００２７】
かかる第９の態様では、両側の固定ばねを共通部品化し、且つ組み付け作業を簡便にすることができる。
【００２８】
本発明の第１０の態様は、第９の態様において、前記固定ばねを保持する前記第１及び第２の係止溝の何れかは、前記腕部の裏面側に当接する当接部と、前記係止部の表面側に当接して当該係止部と係合する端部支持部と、前記腕部及び前記係合部の少なくとも一方の幅方向端部に当接して幅方向への移動を規制する幅方向移動規制部とを具備し、前記固定ばねは、前記腕部が前記受け部の受け面側とは反対方向に弾性変形された状態で保持されていることを特徴とする空気清浄装置にある。
【００２９】
かかる第１０の態様は、固定ばねは締結作業等することなく組み付けることができ、脱落等の虞もない。
【００３０】
【発明の実施の形態】
本発明を一実施形態に基づいて詳細に説明する。
【００３１】
図１は一実施形態の空気清浄装置の分解斜視図、図２はその横断面図、図３は装置本体の正面図、図４はそのＡ−Ａ線矢視断面図である。
【００３２】
これらの図面に示すように、空気清浄装置１は、全体として略かまぼこ状の形状を有し、前面に開口部を有する装置本体１０と、装置本体１０に着脱自在に装着されるカートリッジタイプの帯電捕集部３０と、装置本体１０の開口部を開閉する横断面が略円弧状の蓋体５０とを具備する。
【００３３】
装置本体１０の全体形状を画成する全体としてかまぼこ形状のケーシング１１は、前面に開口部１２を有する。また、ケーシング１１の開口部１２の内方に図示しない駆動モータを含むファン１３（本実施形態では、クロスフローファンを使用）が設けられ、ケーシング１１の図中上部には吐出口１４が形成されている。さらに、開口部１２内には、後述する帯電捕集部３０のアイオナイザ及びコレクタに電圧を供給するための三つの接点ばね１５が設けられており、ケーシング１１内にはこれら接点ばね１５に接続される図示しない電圧印加手段が内蔵されている。
【００３４】
また、ケーシング１１の開口部１２内の幅方向（図３で左右方向）両側壁には、帯電捕集部３０を装着保持するための第１の係止溝１６及び第２の係止溝１７が設けられ、第２の係止溝１７内には、装着された帯電捕集部３０を保持するための固定ばね１８が設けられている。さらに、開口部１２の図中下部の幅方向両側には、蓋体５０を装着するための装着溝１９が設けられている。装着溝１９の図中下部には蓋体５０を回転自在に支持する支持バー２０が設けられており、装着溝１９内の幅方向外側の側壁には、二本の係止突条２１が設けられている。また、開口部１２の図中上部の幅方向両側、第２の係止溝１７の外側には、蓋体５０を係合保持するための係止孔２２が設けられている。
【００３５】
ここで、固定ばね１８及びその取付構造を図５〜図８を参照しながら詳細に説明する。図５は本実施形態の固定ばね１８の斜視図、図６はその取付け状態を示す要部斜視図、図７はその要部断面図、図８は取付け途中の状態を示す断面図である。
【００３６】
これらの図面に示すように、固定ばね１８は、長手方向略中心に略円弧状の凹部である受け部１８ａを有し、その凹部となる面が受け面となる。受け部１８ａの長手方向両側には腕部１８ｂが延設され、腕部１８ｂの先端部領域は受け部１８ａとは反対側に湾曲し、さらに、端部には受け部１８ａの受け面側に屈曲した係止部１８ｃが設けられている。また、腕部１８ｂの係止部側及び係止部１８ｃの幅方向一端部には切欠き部１８ｄが設けられ、幅狭となっている。
【００３７】
一方、固定ばね１８の取付け部となる第２の係止溝１７内には、固定ばね１８の両端部を係止するための第１及び第２の係止孔７１及び７２が設けられている。そして、第１及び第２の係止孔７１及び７２に係止部１８ｃを挿入し、第１及び第２の係止孔７１及び７２の相対向する縁部の一方の表面側で腕部１８ｂの裏面側を支持すると共に他方の裏面側に係止部１８ｃを係止することにより、固定ばね１８を固定するようになっている。すなわち、まず、図８に示すように、第１の係止孔７１に一方の係止部１８ｃを挿入して縁部７１ａの裏側に係止部１８ｃを係合させる。次いで、第２の係止孔７２に他方の係止部１８ｃを挿入し、弾性変形させながら他方の係止部１８ｃを縁部７２ａに係合させる。これにより、第１の係止孔７１の縁部７１ａに対向する縁部７１ｂと、第２の係止孔７２の縁部７２ａに対向する縁部７２ｂとがそれぞれ腕部１８ｂの裏面に当接し、固定ばね１８は固定される。
【００３８】
また、この状態で、腕部１８ｂ及び係止部１８ｃの幅方向両端は、第１及び第２の係止孔７１及び７２を画成する側壁に当接して位置決めされるが、幅方向一方側の側壁７１ｃ及び７２ｃは、固定ばね１８の切欠き部１８ｄ内に位置する。従って、側壁７１の固定ばね１８との当接側とは反対側の面が受け部１８ａの幅方向端面と面一となっている。さらに、第２の係止溝１７の受け部１８ａに対向する位置には、受け部１８ａとの間で後述する第２の係止突起３３を保持するための保持部７３が突設されている。
【００３９】
一方、帯電捕集部３０は、全体として略かまぼこ形状をなしてケーシング１１の開口部１２内にファン１３を囲むように装着できる形状を有する。詳細は省略するが、湾曲した前面には吸込口３１を有し、その内方には、順次、プレフィルタ、帯電部であるアイオナイザ、及び捕集部であるコレクタが内蔵され、さらに、裏面側にはオゾン分解タイプの脱臭フィルタが取り付けられている。従って、吸込口３１から含塵空気等を送り込むと、塵埃が除去された清浄空気が裏面側から吐出するようになっている。また、図示は省略するが、帯電捕集部３０の外周面には、上述したアイオナイザ及びコレクタと、装置本体１０の電極１５との接続を図るための接点部が設けられている。さらに、帯電捕集部３０の両側壁には、ケーシング１１の開口部１２内に装着するための第１の係止突起３２及び第２の係止突起３３が突設されている。
【００４０】
ここで、アイオナイザ及びコレクタは、放電電極部材、対向電極部材及び高圧電極部材の組み合わせにより形成し、対向電極部材は体積固有抵抗値が１０７Ωｃｍ以下の導電性樹脂材料で形成し、高圧電極部材は体積固有抵抗値が１０１０〜１０１３Ωｃｍの半導電性樹脂材料で形成するのが好ましい。この場合、アイオナイザは、放電電極部材と対向電極部材との組み合わせにより構成され、コレクタは、対向電極部材と高圧電極部材との組み合わせにより構成される。また、好適には、各放電電極部材、対向電極部材及び高圧電極部材は、それぞれの材料で、複数の略円弧状の櫛歯を有する形状に一体成形したものとし、これらを組み合わせることによりアイオナイザ及びコレクタを構成するようにするのが好ましい。
【００４１】
ここで、各対向電極部材及び高圧電極部材は、お互いが平行平板状であって、それぞれが平行且つ等間隔に交互に並ぶことが必要である。電気式集塵方式の場合は、対向電極部材と高圧電極部材は、集塵効率を確保するために電界の強度を均一に（気流の上流位置と下流位置での電極間距離を均一に）するために平行・等間隔であることが必要であり、また、通気抵抗の関係から本発明のようなクロスフローファンを用いた場合には、略円弧状の各電極板は、ファン１３の軸方向に対し直交するように配置すると都合がいい。これにより、各電極板間の空気流量を同じ程度にし、通気抵抗を少なくすると共に、各電極板の集塵性能を有効に使うことができる。
【００４２】
このように構成したアイオナイザ及びコレクタでは、アイオナイザにより荷電された粒子の中に導電性粉塵が混在していても、高圧電極部材の電荷の移動が半導電性樹脂材料の抵抗で制限されるため、集塵部の高圧電極部材と対向電極部材との間でのスパーク発生が防止できる。
【００４３】
このような帯電捕集部３０を装置本体１０への取付ける場合には、図２に示すように、まず、帯電捕集部３０の側壁の第１の係止突起３２を第１の係止溝１６の突起受け部１６ａまでに挿入し、突起受け部１６ａを中心として帯電捕集部３０を回動する。これにより、第２の係止突起３３が第２の係止溝１７内に挿入され、固定ばね１８を弾性変形させながら受け部１８ａと保持部７３との間に固定保持される。また、これにより、帯電捕集部３０の接点部が接点ばね１５に当接して接点ばね１５を押し込み、装着後は、接点ばね１５が弾性変形した状態で接点部３５に付勢された状態となる。
【００４４】
一方、蓋体５０は、ケーシング１１に対して着脱自在であり且つ開口部１２を開閉するもので、全面に帯電捕集部３０の吸込口３１と対向する吸込口５１が形成されている。蓋体５０の図中下部の幅方向両側には、ケーシング１１の支持バー２０を回転自在に把持する把持部５２が設けられている。また、把持部５２の近傍上側には、ケーシング１１の装着溝１９に挿入される薄板状のステー部５３が突設されており、ステー部５３の先端部外側には装着溝１９内の係止突条２１と係合可能な円柱状の係止凸部５４が設けられている。また、ステー部５３の外側には、係止凸部５４と係止突条２１との係止状態を解除するために当該ステー部５３を厚さ方向に弾性変形させる際に指置きの指標となる指置き部５５が設けられている。
【００４５】
また、蓋体５０の図中上部の裏面側には、ケーシング１１を貫通する係止孔２２に挿入されて係合する係止つめ５６が突設されている。従って、蓋体５０の着脱及び開閉する場合には、把持部５２に支持バー２０を挿入した状態で蓋体５０を回動すると、把持部５２は支持バー２０を回動自在に把持し、脱離できなくなる。この状態で、蓋体５０を閉める方向に回動すると、ステー部５３の係止凸部５４が一本目の突条２１に当接する。ここでステー部５３を内側に弾性変形させて係止凸部５４を一本目の係止突条２１を乗り越えさせると、係止凸部５４は、二本の係止突条２１の間に位置決めされ、この状態は保持される。また、この状態からステー部５３を内側に弾性変形させながら蓋体５０を閉方向に回動すると、係止凸部５４は二本目の係止突条２１を乗り越え、位置決め保持状態が解除される。
【００４６】
ここで、二本の係止突条２１のそれぞれの外側面は、高さが外側ほど低い傾斜面２１ａとなっており、内側は垂直面２１ｂとなっている。また、係止凸部５４は、蓋体５０の回動に伴って円弧状の軌跡を移動するので、円筒形状となっている。従って、係止凸部５４が係止突条２１間に入る方向への移動の場合には、円筒形状の係止凸部５４が傾斜面２１ａを容易に乗り越え可能であり、ステー部５３を必ずしも弾性変形させる必要はない。一方、係止凸部５４が係止突条２１間から抜け出す方向への移動は垂直面２１ｂにより規制され、ステー部５３を弾性変形することなしに位置決め保持状態を解除することはできず、この状態は確実に保持される。また、係止凸部５４が二本の係止突条２１を乗り越えた後は、蓋体５０が完全に閉じる状態まで自由に回動可能であり、係止つめ５６を係止孔２２（図３参照）に挿入し、蓋体５０の開閉端部、好適には両側の押圧部５７又はこの近傍を押すことにより、蓋体５０が湾曲方向に沿って僅かに弾性変形し、係止つめ５６が係止孔２２と係合する。
【００４７】
以上説明した本実施形態の空気清浄装置は、略かまぼこ形状のケーシング１１内のデッドスペースを最大限に減少させてコンパクト化を図ると共に含塵空気等の吸込面積を最大限にでき且つ気流ロスを減少させることができるという効果を奏する。
【００４８】
また、特に、固定ばね１８及び固定ばね１８の取付構造に以下のような特長がある。
【００４９】
まず、固定ばね１８を、例えば、図５に示すような構造とすることにより、帯電捕集部５０の両側の固定ばね１８は１８０°回転させるだけで共通部品として使用することができるので、コストの低減となり、また、表面にバリがでることもなくなる。
【００５０】
また、固定ばね１８の取り付けは、上述したように締結作業等を行うことがないので簡便であり、且つ脱落の虞のないものである。しかも、取り付け時の変形等の心配もないので、脱落事故等の虞もない。また、固定ばね１８の両端部は係合されているだけで固定端ではなく自由端であるので、繰り返しの弾性変形による耐久性も優れている。
【００５１】
さらに、固定ばね１８の幅方向一端部に切欠き１８ｄを設けて受け部１８ａと切欠き部１８ｄに位置する側壁とを面一になるようにしたので、帯電捕集部５０とケーシング１１の開口部１２との間に多少の寸法誤差があっても、第２の係止突起３３が確実に固定ばね１８の受け部１８ａ上に確実に載置される。
【００５２】
以上説明した実施形態の空気清浄装置１は、例えば、図９（ａ）に示すように、ロッカ１１１の上面１１１ａの空きスペースに安定設置でき、又は図９（ｂ）に示すように、脚１ａを装着して起こし置きが可能であり、スペースの有効利用が可能となる。この場合、高めのロッカの上面に配置しても、安定性を確保できると共に、室内空気の流通を妨げることなく清浄空気を広い範囲に拡散させることができる。
【００５３】
また、図１０（ａ）に示すように、脚１ａを有する空気清浄装置１を床上に起こして置くこともでき、図１０（ｂ）に示すように幅方向一端部にフランジ１ｂを取り付けて縦置きもでき、図１０（ｃ）に示すように前面だけのフランジ１ｃを取り付けることにより室内のコーナ部に設置することもでき、また、図１０（ｄ）に示すようにタンス１１２の脇などの狭所に設置することができる。さらに、図１１（ａ）に示すように、例えば、窓１１３の上などに横向きに壁掛け設置することができ、図１１（ｂ）に示すように、窓１１３の脇に縦に壁掛け設置できる。なお、図１１（ａ）のように横向き設置する場合には、天地逆にも設置可能である。
【００５４】
本実施形態の空気清浄装置は、上述した何れの設置態様においても、蓋体５０の開閉動作及び帯電捕集部３０の着脱作業は、上述したように行うことができ、固定ばね１８は何れの態様においても帯電捕集部３０を確実に保持する。
【００５５】
【発明の効果】
以上説明したように本発明の固定ばね及び固定ばねの取付構造によると、取付作業を大幅に低減できると共に製造コストの低減を図ることができ、しかも耐久性に優れたものとなり、空気清浄装置の帯電捕集部の固定用に好適なものである。
【図面の簡単な説明】
【図１】本発明の一実施形態の空気清浄装置の分解斜視図である。
【図２】本発明の一実施形態の空気清浄装置の横断面図である。
【図３】本発明の一実施形態の装置本体の正面図である。
【図４】本発明の一実施形態の装置本体のＡ−Ａ線矢視断面図である。
【図５】本発明の一実施形態の固定ばねの斜視図である。
【図６】本発明の一実施形態の固定ばねの取り付け状態を示す要部斜視図である。
【図７】本発明の一実施形態の固定ばねの取り付け状態を示す要部断面図である。
【図８】本発明の一実施形態の固定ばねの取り付け途中の状態を示す要部断面図である。
【図９】本発明の一実施形態の空気清浄装置の使用状態を説明する斜視図である。
【図１０】本発明の一実施形態の空気清浄装置の使用状態を説明する斜視図である。
【図１１】本発明の一実施形態の空気清浄装置の使用状態を説明する斜視図である。
【図１２】従来技術に係る空気清浄装置の正面図である。
【図１３】従来技術に係る空気清浄装置の分解斜視図である。
【図１４】従来技術に係る空気清浄装置の帯電捕集部の保持状態を示す断面図である。
【図１５】従来技術に係る固定ばねの斜視図である。
【符号の説明】
１  空気清浄装置
１０  装置本体
１１  ケーシング
１２  開口部
１３  ファン
１４  吐出口
１５  電極
１６  第１の係止溝
１７  第２の係止溝
１８  固定ばね
１８ａ  受け部
１８ｂ  腕部
１８ｃ  係止部
１８ｄ  切欠き部
１９  装着溝
２０  支持バー
２１  係止突条
２２  係止孔
３０  帯電捕集部
３１  吸込口
３２  第１の係止突起
３３  第２の係止突起
５０  蓋体
５１  吸込口
５２  把持部
５３  ステー部
５４  係止凸部
【図１】
0003596802.tif 000002
【図２】
0003596802.tif 000003
【図３】
0003596802.tif 000004
【図４】
0003596802.tif 000005
【図５】
0003596802.tif 000006
【図６】
0003596802.tif 000007
【図７】
0003596802.tif 000008
【図８】
0003596802.tif 000009
【図９】
0003596802.tif 000010
【図１０】
0003596802.tif 000011
【図１１】
0003596802.tif 000012
【図１２】
0003596802.tif 000013
【図１３】
0003596802.tif 000014
【図１４】
0003596802.tif 000015
【図１５】
0003596802.tif 000016